(57)【要約】【課題】材料の入手が容易であると共に、製作に困難がなく、かつ梱包作業、輸送・搬入作業および設置作業が容易な大型スピーカ装置を提供すること。【解決手段】外部から投射された影像を映し出すスクリーン１２と、スクリーン１２をその表裏方向に駆動させるための駆動体１６と、スクリーン１２を保持するために、スクリーン１２の裏側に配置されるフレーム１４と、を具備するスピーカ装置１０において、フレーム１４には、当該フレーム１４内の領域を複数の分割領域２４ａ，２４ｂ，２４ｃに区分けする仕切り２２が設けられており、スクリーン１２の表側に複数の光拡散反射性を有するシート１７を並べて貼り付け、その貼り付けられたシート１７間の境界３０ａ，３０ｂを仕切部２２上に形成する。【選択図】図１
2008203560.tif 000002
【特許請求の範囲】
【請求項１】
外部から投射された影像を映し出すスクリーンと、
上記スクリーンをその表裏方向に駆動させるための駆動体と、
上記スクリーンを保持するために、上記スクリーンの裏側に配置されるフレームと、
を具備するスピーカ装置において、
上記フレームには、当該フレーム内の領域を複数の領域に区分けする仕切りが設けられており、上記スクリーンの表側に複数の光拡散反射性を有するシートを並べて貼り付け、その貼り付けられた上記シート間の境界を上記仕切り上に形成することを特徴とするスピーカ装置。
【請求項２】
外部から投射された影像を映し出すスクリーンと、
上記スクリーンをその表裏方向に駆動させるための駆動体と、
上記スクリーンを保持するために、上記スクリーンの裏側に配置されるフレームと、
を有するスクリーンスピーカを１つのユニットとし、複数の上記スクリーンスピーカを保持することが可能な外フレームの内側の領域に当該スクリーンスピーカを複数配置して基本ユニットを構成し、
当該基本ユニットの表面に光拡散反射性を有するシートを貼り付けたことを特徴とするスピーカ装置。
【請求項３】
前記外フレームで囲まれる領域は、仕切部材によって複数の領域に仕切られると共に、当該複数の領域に前記スクリーンスピーカを配置したことを特徴とする請求項２記載のスピーカ装置。
【請求項４】
前記シートは前記基本ユニットの表面に複数枚並べて貼り付けられており、その貼り付けられた前記シート間の境界を前記仕切り、前記フレームおよび前記仕切部材のうち少なくとも１つの上に形成することを特徴とする請求項２または３記載のスピーカ装置
【請求項５】
前記シートは、０．０５ｍｍ以上１ｍｍ以下の厚みを有する樹脂シートであることを特徴とする請求項１から４のいずれか１項記載のスピーカ装置。
【請求項６】
前記シートは、０．０５ｍｍ以上１ｍｍ以下の厚みを有する不織繊維膜であることを特徴とする請求項１から４のいずれか１項記載のスピーカ装置。
【請求項７】
前記シートは、０．０５ｍｍ以上１ｍｍ以下の厚みを有する織物繊維膜であることを特徴とする請求項１から４のいずれか１項記載のスピーカ装置。
【請求項８】
前記シートは、金属からなり、その厚みが、０．０２ｍｍ以上１ｍｍ以下であることを特徴とする請求項１から４のいずれか１項記載のスピーカ装置。
【請求項９】
前記シートは、樹脂、不織繊維、織物繊維および金属のうちの２種以上の素材を混合した０．１ｍｍ以上１ｍｍ以下の厚みを有する複合材からなることを特徴とする請求項１から４のいずれか１項記載のスピーカ装置。
【請求項１０】
前記シートの表面には、表面処理が施されていることを特徴とする請求項５から９のいずれか１項記載のスピーカ装置。
【請求項１１】
前記シートの表面には、前記表面処理を施すことによって、複数の微細な凹凸が形成されていることを特徴とする請求項１０記載のスピーカ装置。
【請求項１２】
前記シートの表面には、前記表面処理を施すことによって、少なくとも１ｍｍ以下の外径を有する複数の貫通孔もしくは、複数の非貫通の穴が形成されていることを特徴とする請求項１０記載のスピーカ装置。
【請求項１３】
前記シートの裏面には、粘着性接着剤が塗布されていることを特徴とする請求項５から１２のいずれか１項記載のスピーカ装置。
【請求項１４】
前記粘着性接着剤によって、前記フレームまたは前記外フレームに接着された前記シートを、当該フレームまたは外フレームから剥離できることを特徴とする請求項１３記載のスピーカ装置。
【請求項１５】
前記境界には、隙間が形成されており、当該隙間の大きさは、０．５ｍｍ以下であることを特徴とする請求項４から９のいずれか１項記載のスピーカ装置。
【請求項１６】
前記境界において、前記シートは、前記スクリーンにおける縦方向に沿って重なり合っており、前記スクリーンに前記シートを貼り合わせることによって形成されるスクリーン部を平面視した場合、上記スクリーン部に影像を投射するプロジェクタに対する絶対距離が遠い側に位置する一方の前記シートが、上記プロジェクタに対する絶対距離が近い側に位置する他方の前記シートの前方に重ねられることを特徴とする請求項１および４から９のいずれか１項記載のスピーカ装置。
【請求項１７】
前記境界において、前記シートは、前記スクリーンにおける横方向に沿って重なり合っており、前記スクリーンに前記シートを貼り合わせることによって形成されるスクリーン部を側面視した場合、上記スクリーン部に影像を投射するプロジェクタに対する絶対距離が遠い側に位置する一方の前記シートが、上記プロジェクタに対する絶対距離が近い側に位置する他方の前記シートの前方に重ねられることを特徴とする請求項１および４から９のいずれか１項記載のスピーカ装置。
【請求項１８】
前記外フレームの外側に、少なくとも前記外フレームの前方および側方を覆う断面がＬ字状であるスクリーン枠を着脱可能に取り付けたことを特徴とする請求項１から１７のいずれか１項記載のスピーカ装置。
【請求項１９】
前記スクリーン枠は、横方向に向かう横枠部と、縦方向に向かう縦枠部を接合することにより構成されており、前記スクリーン枠において前記外フレームの前方を覆う部分の表面側には、面取りがなされており、上記横枠部の厚さは、上記縦枠部における裏面から面取りがなされている部分までの厚さ以下とされ、上記横枠部と上記縦枠部が接合される接合面がスクリーン枠の長手方向に対して直角もしくは平行に形成されていることを特徴とする請求項１８記載のスピーカ装置。
【発明の詳細な説明】
【技術分野】
【０００１】
本発明は、スピーカ装置に関する。
【背景技術】
【０００２】
従来から、スクリーン振動板を軽量かつ厚みの薄い、振動に適した素材で構成し、その表面にプロジェクタから投射される影像をより鮮明に映し出すための表面処理を施したスクリーンスピーカシステムが存在する。このようなタイプのスクリーンスピーカシステムとしては、特許文献１に開示されているものが知られている。なお、特許文献２にも、同様の構成を有するスクリーンスピーカが開示されている。
【特許文献１】特開２００５−６４９３２号公報（特許請求の範囲）
【特許文献２】特開２００６−２７９２８４号公報（特許請求の範囲）
【発明の開示】
【発明が解決しようとする課題】
【０００３】
近年、より迫力ある映像を提供するために、ホームシアターシステムにおいて、当該映像を映し出すためのスクリーンの大型化が要求されており、上述のスクリーンスピーカシステムにおいても更なる画面の大型化が要求される。
【０００４】
しかしながら、特許文献１記載のスクリーンスピーカシステムにおいて、スクリーンの大型化を図る場合、スクリーンの材料となるアルミニウム薄板等を製作および処理するのに寸法上制約される場合がある。また、スクリーンの大型化に伴い、外形寸法が大型化し、重量も増加するため、製造時の組立作業が困難になるという問題がある。それに加え、システムの梱包作業、輸送・搬入作業および設置作業にも手間がかかるといった問題がある。
【０００５】
本発明は、かかる問題に鑑みてなされたものであり、その目的とするところは、材料の入手が容易であると共に、製作に困難がなく、かつ梱包作業、輸送・搬入作業および設置作業が容易な大型スピーカ装置を提供しようとするものである。
【課題を解決するための手段】
【０００６】
上記課題を解決するために、本発明は、外部から投射された影像を映し出すスクリーンと、スクリーンをその表裏方向に駆動させるための駆動体と、スクリーンを保持するために、スクリーンの裏側に配置されるフレームと、を具備するスピーカ装置において、フレームには、当該フレーム内の領域を複数の領域に区分けする仕切りが設けられており、スクリーンの表側に複数の光拡散反射性を有するシートを並べて貼り付け、その貼り付けられたシート間の境界を仕切り上に形成したものである。
【０００７】
また、本発明は、外部から投射された影像を映し出すスクリーンと、スクリーンをその表裏方向に駆動させるための駆動体と、スクリーンを保持するために、スクリーンの裏側に配置されるフレームと、を有するスクリーンスピーカを１つのユニットとし、複数のスクリーンスピーカを保持することが可能な外フレームの内側の領域に当該スクリーンスピーカを複数配置して基本ユニットを構成し、当該基本ユニットの表面に光拡散反射性を有するシートを貼り付けたものである。
【０００８】
また、他の発明は、上述の各発明に加えて更に、外フレームで囲まれる領域は、仕切部材によって複数の領域に仕切られると共に、当該複数の領域にスクリーンスピーカを配置したものである。
【０００９】
また、他の発明は、上述の各発明に加えて更に、シートを基本ユニットの表面に複数枚並べて貼り付け、その貼り付けられたシート間の境界を仕切り、フレームおよび仕切部材のうち少なくとも１つの上に形成したものである。
【００１０】
さらに、他の発明は、上述の発明に加えて更に、シートを、０．０５ｍｍ以上１ｍｍ以下の厚みを有する樹脂シートとした。
【００１１】
また、他の発明は、上述の発明に加えて更に、シートを、０．０５ｍｍ以上１ｍｍ以下の厚みを有する不織繊維膜とした。
【００１２】
また、他の発明は、上述の発明に加えて更に、シートを、０．０５ｍｍ以上１ｍｍ以下の厚みを有する織物繊維膜とした。
【００１３】
また、他の発明は、上述の発明に加えて更に、シートは、金属からなり、その厚みを、０．０２ｍｍ以上１ｍｍ以下としたものである。
【００１４】
さらに、他の発明は、上述の発明に加えて更に、シートは、樹脂、不織繊維、織物繊維および金属のうちの２種以上の素材を混合した０．１ｍｍ以上１ｍｍ以下の厚みを有する複合材からなるものである。
【００１５】
さらに、他の発明は、上述の発明に加えて更に、シートの表面に、表面処理を施したものである。
【００１６】
また、他の発明は、上述の各発明に加えて更に、シートの表面には、表面処理を施すことによって、複数の微細な凹凸が形成されているものである。
【００１７】
さらに、他の発明は、上述の発明に加えて更に、シートの表面には、表面処理を施すことによって、少なくとも１ｍｍ以下の外径を有する複数の貫通孔もしくは、複数の非貫通の穴が形成されているものである。
【００１８】
さらに、他の発明は、上述の各発明に加えて更に、シートの裏面には、粘着性接着剤を塗布したものである。
【００１９】
さらに、他の発明は、上述の発明に加えて更に、粘着性接着剤によって、フレームまたは外フレームに接着されたシートを、当該フレームまたは外フレームから剥離できるものである。
【００２０】
さらに、他の発明は、上述の発明に加えて更に、境界には、隙間が形成されており、当該隙間の大きさを、０．５ｍｍ以下としたものである。
【００２１】
さらに、他の発明は、上述の発明に加えて更に、境界において、シートは、スクリーンにおける縦方向に沿って重なり合っており、スクリーンにシートを貼り合わせることによって形成されるスクリーン部を平面視した場合、スクリーン部に影像を投射するプロジェクタに対する絶対距離が遠い側に位置する一方のシートが、プロジェクタに対する絶対距離が近い側に位置する他方のシートの前方に重ねられるものである。
【００２２】
さらに、他の発明は、上述の発明に加えて更に、境界において、シートは、スクリーンにおける横方向に沿って重なり合っており、スクリーンにシートを貼り合わせることによって形成されるスクリーン部を側面視した場合、スクリーン部に影像を投射するプロジェクタに対する絶対距離が遠い側に位置する一方のシートが、プロジェクタに対する絶対距離が近い側に位置する他方のシートの前方に重ねられるものである。
【００２３】
さらに、他の発明は、上述の発明に加えて更に、外フレームの外側に、少なくとも外フレームの前方および側方を覆う断面がＬ字状であるスクリーン枠を着脱可能に取り付けたものである。
【００２４】
さらに、他の発明は、上述の発明に加えて更に、スクリーン枠は、横方向に向かう横枠部と、縦方向に向かう縦枠部を接合することにより構成されており、スクリーン枠において外フレームの前方を覆う部分の表面側には、面取りがなされており、横枠部の厚さは、縦枠部における裏面から面取りがなされている部分までの厚さ以下とされ、横枠部と縦枠部が接合される接合面がスクリーン枠の長手方向に対して直角もしくは平行に形成されているものである。
【発明の効果】
【００２５】
本発明によると、材料の入手が容易であると共に、製作に困難がなく、かつ梱包作業、輸送・搬入作業および設置作業が容易な大型スピーカ装置を提供することができる。
【発明を実施するための最良の形態】
【００２６】
（第１の実施の形態）
以下、本発明の第１の実施の形態に係るスピーカ装置１０について、図面を参照しながら説明する。なお、以下の説明（各実施の形態に共通）において、図１〜図１５に示す矢示Ｘ１方向を表、矢示Ｘ２方向を裏、矢示Ｙ１方向を左、矢示Ｙ２方向を右、矢示Ｚ１方向を上および矢示Ｚ２方向を下とそれぞれ規定する。
【００２７】
図１は、スピーカ装置１０の分解斜視図である。図２は、スピーカ装置１０の斜視図である。図３は、表面シート１７，１７を貼り付けた状態で、図２中のスピーカ装置１０を矢示Ａ方向から見た部分を示す側面図である。
【００２８】
スピーカ装置１０は、直接駆動型のスピーカ装置であり、図１に示すように、外部からの影像を映し出す面を構成するスクリーン１２と、スクリーン１２を保持するフレーム１４と、スクリーン１２を振動させる駆動体と、スクリーンの表面に貼り付けられる３枚の表面シート１７と、から主に構成されている。なお、スピーカ装置１０の寸法例としては、長さ２２００ｍｍ、幅１２００ｍｍおよび厚さ３５ｍｍを外形とするものがある。また、以下の説明において、スクリーン１２と表面シート１７を貼り合わせたものを複合スクリーン１８と称呼する。この複合スクリーン１８は、スクリーン１２と、その表面に貼り合わされた表面シート１７とからなる２層構造を有するスクリーン振動板である。
【００２９】
フレーム１４は、図１に示すように、長方形の形状を有する枠部材となる側枠２０と、その側枠２０の内側に長方形の短手方向に沿って配置される仕切り２２とから構成されている。なお、側枠２０の長さ寸法および幅寸法は、スピーカ装置１０の長さ寸法および幅寸法と略同一となっている。また、側枠２０および仕切り２２の材料として、アルミニウム合金が採用されている。しかしながら、側枠２０および仕切り２２の材料はアルミニウム合金に限定されるものではない。
【００３０】
側枠２０は、図１に示すように、当該側枠２０の長手方向を構成する２つの長手側枠２０ａ，２０ａと、側枠２０の短手方向を構成する２つの短手側枠２０ｂ，２０ｂとから構成されている。長手側枠２０ａおよび短手側枠２０ｂの断面形状は、角部を有する略Ｕ字形状（略凹字形状）を呈している。仕切り２２は、上述したように、側枠２０の内側に短手方向に向かって２本配置され、側枠２０の内側の領域を長手方向に沿って等間隔に３分割している。これにより、フレーム１４内には、左右および中央のそれぞれに３つに分割された分割領域２４ａ，２４ｂ，２４ｃが形成される。また、仕切り２２の両端の端面は共に、長手側枠２０ａに接合されており、フレーム１４の強度を向上させる役割を果たしている。
【００３１】
また、各分割領域２４ａ，２４ｂ，２４ｃ内には、フレーム１４の長手方向に沿って支柱２６が配置されている。支柱２６は、各分割領域２４ａ，２４ｂ，２４ｃを上下に２分割するように配置されている。支柱２６は、上下方向に幅広な角柱形状（すなわち、薄板に近い柱形状）を有している。また、支柱２６の両端の端面は、短手側枠２０ｂおよび仕切り２２に接合されている。また、本実施の形態では、支柱２６の材料として、アルミニウム合金が採用されている。しかしながら、支柱２６の材料はアルミニウム合金に限定されるものではない。
【００３２】
図１に示すように、各支柱２６における左右方向略中央であり、かつ各支柱２６の表側には、駆動体の一部を構成する磁気回路２８が配設されている。磁気回路２８は、ホルダ（不図示）と、マグネット（不図示）から構成されている。
【００３３】
また、スクリーン１２は、その外周面が、側枠２０の外周面と一致するように、フレーム１４の表側に取り付けられる。このスクリーン１２は、側枠２０および仕切り２２との間に接着剤を介在させて固定される。また、スクリーン１２の材料の一例としては、アルミニウム合金を採用するものがある。しかしながら、スクリーン１２の材料はアルミニウム合金に限定されるものではなく、後述するように、種々の振動特性・反射特性を考慮して、それらに最適な材料を選択可能である。また、スクリーン１２の裏面における磁気回路２８と対応する位置には、駆動体の一部を構成する不図示のボイスコイルが配置されている。当該ボイスコイル（不図示）は、所定の寸法のコイルボビンに、コイル線を巻きつけることにより形成されている。このボイスコイル（不図示）は磁気回路２８と協働してスクリーン１２を振動させる。また、駆動体として、磁気回路２８およびボイスコイル（不図示）ではなく、圧電素子等を採用しても良い。
【００３４】
図１および図２に示すように、スクリーン１２の前面には、３枚の表面シート１７が貼り付けられている。表面シート１７のそれぞれは、分割領域２４ａ，２４ｂ，２４ｃのそれぞれの表側に貼り付けられる。それぞれの表面シート１７の外形寸法は、その幅寸法が、スクリーン１２と略同一に設けられるものの、当該表面シート１７の長さ寸法は、スクリーン１２の長さ寸法を、略３分割した状態に設けられている。これら表面シート１７は、左右方向に３つ並べて貼り付けられる。このため、左側に貼られた表面シート１７と中央に貼られた表面シート１７の間および右側に貼られた表面シート１７と中央に貼られた表面シート１７の間には、それぞれ境界部３０ａ，３０ｂが形成される。つまり、境界部３０ａ，３０ｂがそれぞれ仕切り２２，２２上に形成されるように、表面シート１７は、スクリーン１２の前面に貼り付けられる（図２および図３を参照）。
【００３５】
ここで、外観上等の理由から、表面シート１７は、境界部３０ａ，３０ｂにおいて、それぞれが隙間を有することなく、スクリーン１２の表面に貼り付けられるのが好ましい。しかしながら、図３に示すように、寸法精度上、境界部３０ａ，３０ｂに隙間Ｈが形成されてしまうこともある。この場合、スクリーン１２に映し出される映像の鮮明さを考慮すると、当該隙間Ｈの大きさは、０．５ｍｍ以下とするのが好ましい。また、表面シート１７は、接着剤によりスクリーン１２の表面に貼り付けられる。接着剤としては、粘着性接着剤を採用することが可能である。この場合、当該接着剤は予め表面シート１７の裏面に塗布されている。また、当該粘着性接着剤として、表面シート１７をスクリーン１２に接着した後、再度、表面シート１７をスクリーン１２から容易に剥離可能な接着剤を用いるのが好ましい。
【００３６】
表面シート１７は、柔軟性を有する樹脂シートを採用することが可能である。また、かかる樹脂シートを採用する場合、その表面に、プロジェクタから投射される影像を拡散反射させるための表面処理を施すことも可能である。表面処理としては、表面に微細な凹凸を形成するエンボス加工、もしくは、少なくとも外径が１ｍｍ以下の多数の貫通孔または非貫通の穴を形成する微細な穴加工が挙げられる。表面シート１７の厚みは、０．０５ｍｍ以上１ｍｍ以下の範囲であるのが好ましい。しかしながら、表面シート１７の厚みは、当該値の範囲に限定されるものではない。また、表面シート１７の色としては、光拡散反射性に優れた銀色または白色であるのが好ましい。しかしながら、当該色に限定されるものではない。
【００３７】
以上のように構成されたスピーカ装置１０では、スクリーン１２の表面に、さらに表面処理が施された表面シート１７が貼り付けられている。このため、寸法が大きなスクリーン１２に直接、表面処理を施す必要がなくなる。したがって、製造コストを削減でき、光拡散反射性に優れたスピーカ１０装置を安価に提供することが可能となる。また、スピーカ装置１０を組み立てた後に、スクリーン１２に塗装等の表面処理を行うことがなくなるため、対環境性が向上する。また、スピーカ装置１０を組み立てまたは設置する際、スクリーン１２に微細な傷等がついても、当該スクリーン１２の表面は、表面シート１７によって保護される。このため、傷に対する心配が低減し、品質の向上を図ることが可能となる。また、スクリーン１２の材質に合わせて、適切な特性を有する表面シート１７を選択することが可能なため、スピーカ装置１０の振動特性および反射特性を最適なものとすることが可能となる。また、スクリーン１２の表面に表面シート１７を貼り合わせているため、複合スクリーン１８の構造は２層構造となる。したがって、当該複合スクリーン１８を、振動板として必要な剛性を兼ね備えながら適切な振動減衰特性を有する振動板とすることができる。また、境界部３０ａ，３０ｂが仕切り２２上に形成されるため、複合スクリーン１８が境界部３０ａ，３０ｂにおいて振動および屈折するのを防止でき、スピーカ装置１０の耐久性および音響特性の向上を図ることが可能となる。また、表面シート１７は、境界部３０ａ，３０ｂを境にして３枚貼り付けられている。このため、取付面積が大きくなった場合でも、スクリーン１２の大きさに制約を受けることなく、表面シート１７をスクリーン１２上に配置することが可能となる。その結果、大型のスクリーンを製造することが可能となる。
【００３８】
また、スピーカ装置１０では、表面シート１７として、樹脂を材料とするシートを採用することも可能である。この場合、樹脂は、厚さ、色、寸法および柔軟性等の種類が豊富であるため、表面シート１７の選択の自由度が拡がる。したがって、同じ品質の表面シート１７を得やすくなる。また、樹脂は、価格が安価であると共に、塗装やコーティング等の表面処理も容易に行うことができる。さらに、汚れの除去も比較的容易に行うことができる。その結果、優れた光拡散反射特性を有する表面シート１７を得ることができ、スクリーンスピーカ１０の音響特性が向上すると共に、メンテナンスもし易くなる。
【００３９】
また、スピーカ装置１０では、表面シート１７の表面には、エンボス加工もしくは穴加工等の表面処理が施されている。したがって、表面シート１７の光拡散特性をプロジェクタ用スクリーンに適したものとすることができ、スクリーン１２の性能を向上させることが可能となる。また、薄い光の反射に対して方向性を有する素材からなるシートに対して、エンボス加工を施すことは難しいが、微細な穴加工を施すことは可能である。したがって、微細な穴加工を用いれば、このような素材からなる表面シート１７に対しても表面処理を行うことが可能となり、表面シート１７の光拡散特性を向上させることが可能となる。
【００４０】
また、スピーカ装置１０では、予め表面シート１７の裏面に粘着性接着剤が塗布されている。そのため、表面シート１７の貼り付け作業を行う際に、接着剤を塗布する必要がなくなり、作業工程を削減できる。また、予め接着剤が塗布された表面シート１７は、一般的に、機械によって接着剤が塗布されている。そのため、粘着性接着剤の厚みが均一な表面シートを１７を得ることができる。さらに、粘着性接着剤は、乾燥硬化しにくいという特性がある。そのため、比較的振動による内部損失が少ないアルミニウム合金から構成されるスクリーン１２に対して、振動減衰効果を得ることができる。その結果、スピーカ装置１０の音響特性の向上を図ることが可能となる。
【００４１】
また、スピーカ装置１０では、粘着性接着剤として、接着後に剥離可能なものが採用されている。そのため、複合スクリーン１８から表面シート１７を容易に剥がすことができ、スピーカ装置１０を分解するのが容易となる。したがって、サイズの大きなスピーカ装置１０であっても、容易に分解して移設もしくは搬送等を行うことが可能となる。
【００４２】
また、スピーカ装置１０では、表面シート１７は境界部３０ａ，３０ｂにおいて重なり合うことなくスクリーン１２に貼り付けられている。したがって、境界部３０ａ，３０ｂに段差ができることがなくなり、境界部３０ａ，３０ｂが目立たなくなる。また、境界部３０ａ，３０ｂにおける隙間Ｈの大きさは０．５ｍｍ以下とすることが可能である。したがって、複合スクリーン１８に影像が投影された場合、通常の視聴距離から境界部３０ａ，３０ｂを視認されことがなくなる。その結果、スクリーン１２に鮮明な映像を映し出すことが可能となる。
【００４３】
（第２の実施の形態）
次に、本発明の第２の実施の形態に係るスピーカ装置４０について、図面を参照しながら説明する。なお、第２の実施の形態に係るスピーカ装置４０において、第１の実施の形態と共通する部分については、同一の符号を付すと共にその説明を省略または簡略化する。
【００４４】
図４は、スリーンスピーカシステム４０の斜視図である。図５は、スリーンスピーカシステム４０の筐体となる外フレーム４２の斜視図である。図６は、スピーカ装置４０を組み立てる工程を示す図であり、スピーカ装置４０を外フレーム４２に配置する工程を示す図である。図７は、スピーカ装置４０を組み立てる工程を示す図であり、表面シート４４を貼り付ける工程を示す図である。図８は、スピーカ装置４０においてスクリーン枠４７を分解した状態を示す分解外斜視図である。図９は、図８中のスクリーン枠４７の構成を説明するための図であり、（Ａ）は、図４中の一点鎖線で囲んだ部分Ｂの拡大図であり、（Ｂ）は、（Ａ）をＣ−Ｃ線で切断した断面を示す断線図であり、（Ｃ）は、（Ａ）をＤ−Ｄ線で切断した断面を示す断線図である。
【００４５】
図４から図８に示すように、スピーカ装置４０は、筐体となる外フレーム４２と、４台のスクリーンスピーカ４１と、表側に貼り付けられる２枚の表面シート４４，４４と、外フレーム４２のさらに外縁に配置されるスクリーン枠４７と、から主に構成されている。
【００４６】
図６に示すように、スピーカ装置４０は、基本的には、１つのユニットとなる直接駆動型のスクリーンスピーカ４１（第１の実施の形態におけるスピーカ装置１０から表面シート１７を除いたもの）を、外フレーム４２の領域内に４台配置することによって構成される。スピーカ装置４０の外形寸法は、例えば、長さ３３５０ｍｍ、幅１９００ｍｍ、厚さ５０ｍｍに設けられている。しかしながら、スピーカ装置４０の外形寸法は、当該値に限られるものではい。
【００４７】
図５に示すように、外フレーム４２は、長方形の枠形状を有する枠部４９と、その内側の空間を略十字状に区分けして４つの矩形状の領域を形成する仕切部材５１とから構成されている。
【００４８】
枠部４９は、図５に示すように、当該枠部４９の長手方向を構成する２つの長手枠部４９ａ，４９ａと、枠部４９の短手方向を構成する２つの短手枠部４９ｂ，４９ｂとから構成されている。仕切部材５１は、上述したように、略十字状の形状を有している。該仕切部材５１は、枠部４９の内側に長手方向に向かって配置される長手仕切部５１ａと、短手方向に向かって配置される２本の短手仕切部５１ｂ，５１ｂとから構成されている。長手仕切部５１ａは、枠部４９の内側の領域を短手方向に沿って等間隔に２分割している。短手仕切部５１ｂは、長手仕切部５１ａによって分割された領域を長手方向に沿って、さらに等間隔に２分割している。これにより、外フレーム４２内には、上下左右それぞれに４分割された分割領域５３ａ，５３ｂ，５３ｃ，５３ｄが形成される。
【００４９】
また、長手仕切部５１ａの両端の端面は、短手枠部４９ｂの内側の側面に接合されている。短手仕切部５１ｂ，５１ｂは、その一端側の端面は長手枠部４９ａの内側の側面に接合されると共に、その他端側の端面は長手仕切部５１ａのうち長手枠部４９ａと対向する側面に接合されている。長手枠部４９ａ、短手枠部４９ｂ、長手仕切部５１ａおよび短手仕切部５１ｂの材料として、内部に空洞を有する断面が略正方形のアルミニウム合金製の角パイプが採用されている。しかしながら、長手枠部４９ａ、短手枠部４９ｂ、長手仕切部５１ａおよび短手仕切部５１ｂの材料はアルミニウム合金製の角パイプに限定されるものではない。
【００５０】
図６に示すように、分割領域５３ａ，５３ｂ，５３ｃ，５３ｄの各領域内には、それぞれ１台づつのスクリーンスピーカ４１が配置される。以下の説明において、分割領域５３ａに配置されるスクリーンスピーカ４１をスクリーンスピーカ４１ａ、分割領域５３ｂに配置されるスクリーンスピーカ４１をスクリーンスピーカ４１ｂ、分割領域５３ｃに配置されるスクリーンスピーカ４１をスクリーンスピーカ４１ｃ、分割領域５３ｄに配置されるスクリーンスピーカ４１をスクリーンスピーカ４１ｄとする。また、以下の説明において、外フレーム４２の内部に４台のスクリーンスピーカ４１が配置された１つのユニットを基本ユニット５５と称呼する。
【００５１】
スクリーンスピーカ４１の配置後、図７に示すように、基本ユニット５５の前面には２枚の表面シート４４が上下に並べて貼り付けられる（なお、図７においては、１枚の表面シート４４のみを図示するものとする。）。一方の表面シート４４は、スクリーンスピーカ４１ａ，４１ｂの表側に貼り付けられ、他方の表面シート４４は、スクリーンスピーカ４１ｃ，４１ｄの表側に貼り付けられる。２枚の表面シート４４を貼り付けることにより、基本ユニット５５の前面には、大型のスクリーンとなるスクリーン部５６が形成される（図４および図８を参照）。それぞれの表面シート４４の外形寸法は、その長さ寸法が、基本ユニット５５と略同一に設けられるものの、表面シート４４の幅寸法は、基本ユニット５５の幅寸法を略２分割した状態に設けられている。
【００５２】
上述したように、表面シート４４は、基本ユニット５５の表面に上下に並べて貼り付けられる。このため、２枚の表面シート４４の間には境界部５７が形成される。つまり、境界部５７が長手仕切部５１ａ上に形成されるように、表面シート４４は、基本ユニット５５の表側に貼り付けられる。
【００５３】
図８に示すように、基本ユニット５５の表面に表面シート４４を貼った状態で（以下、表面シート４４が貼られた基本ユニット５５を、シート付きユニット５８と称呼する。）、その外周部分にスクリーン枠４７が取り付けられる。スクリーン枠４７は、シート付きユニット５８の長手方向外側に取り付けられる２つのスクリーン横枠６０，６０と、シート付きユニット５８の短手方向外側に取り付けられる２つのスクリーン縦枠６２，６２とから構成されている。スクリーン横枠６０およびスクリーン縦枠６２の断面は、略Ｌ字状の形態を有している。
【００５４】
スクリーン横枠６０は、上述したＬ字の一端を形成する第１長片６０ａと、Ｌ字の他端を形成する第２長片６０ｂとから構成されている。また、第２長片６０ｂの幅方向の先端側には、面取部６０ｄが設けられている（図９を参照）。この面取部６０ｄは、幅方向の先端側に向かうにつれて、厚み寸法が小さくなるテーパ状に設けられている。また、スクリーン縦枠６２は、上述したＬ字の一端を形成する第１長片６２ａと、Ｌ字の他端を形成する第２長片６２ｂとから構成されている。第２長片６２ｂの幅方向の先端側には、面取部６２ｄが設けられている（図９を参照）。この面取部６２ｄは、幅方向の先端側に向かうにつれて、厚み寸法が小さくなるテーパ状に設けられている。
【００５５】
スクリーン縦枠６２は、シート付きユニット５８の左右両側に取り付けられる。具体的には、スクリーン縦枠６２は、その第１長片６２ａがシート付きユニット５８の左側面または右側面を覆い、その第２長片６２ｂがシート付きユニット５８の表側の面を覆うように、シート付きユニット５８に取り付けられる（図９を参照）。また、第２長片６２ｂにおける先端面６２ｅは、短手枠部４９ｂを横切り、短手側枠４１ｆの一部にまで差し掛かっている（図９（Ｂ）を参照）。スクリーン縦枠６２の長さ寸法は、シート付きユニット５８の長さ寸法と同一となっている。このため、スクリーン縦枠６２をシート付きユニット５８に取り付けた状態では、スクリーン縦枠６２における長手方向の両端面はシート付きユニット５８の短手枠部４９ｂにおける長手方向の両端面と面一になる。すなわち、スクリーン縦枠６２は、シート付きユニット５８の左右両側を上端から下端に渡って覆っている。これにより、シート付きユニット５８の角部６４はスクリーン縦枠６２によって覆われる。スクリーン縦枠６２は、ネジによってシート付きユニット５８に対して固定されている。
【００５６】
スクリーン横枠６０は、シート付きユニット５８の上下両側に取り付けられる。具体的には、スクリーン横枠６０は、その第１長片６０ａがシート付きユニット５８の上側または下側の端面を覆い、その第２長片６０ｂがシート付きユニット５８表側の面を覆うように、シート付きユニット５８に取り付けられる（図９を参照）。また、第２長片６０ｂにおける先端面６０ｆは、長手枠部４９ａを横切り、長手側枠４１ｅの一部にまで差し掛かっている（図９（Ｃ）を参照）。また、スクリーン横枠６０をシート付きユニット５８に取り付けた状態では、その長手方向の両側の端面６０ｅが、スクリーン縦枠６２の先端面６２ｅと当接した状態となる（図９（Ａ）を参照）。スクリーン横枠６０は、ネジによってシート付きユニット５８に対して固定されている。
【００５７】
図９（Ｂ），（Ｃ）に示すように、スクリーン横枠６０の第２長片６０ｂの厚さＪの寸法は、スクリーン縦枠６２の第２長片６２ｂにおける裏面６２ｆから面取部６２ｄに至るまでの厚さＫの寸法以下となっている。なお、第２長片６０ｂの幅Ｌの大きさは、先端面６０ｆが、長手側枠４１ｅの前方に位置するように設計されている。また、第２長片６２ｂの幅Ｍの大きさは先端面６２ｅが、短手側枠４１ｆの前方（スクリーン内側）に位置するように設計されている。
【００５８】
以上のように構成されたスピーカ装置４０では、小型のスクリーンスピーカ４１を１つのユニットとして、４台の当該スクリーンスピーカ４１（４１ａ〜４１ｄ）を接合することにより、大型のスピーカ装置４０が形成されている。このような方法によって、スピーカ装置４０を形成することにより、スクリーンの材料や各種部材の材料の大きさに制限されることなく、スピーカ装置４０の大型化を図ることが可能となる。
【００５９】
また、スピーカ装置４０では、外フレーム４２にスクリーンスピーカ４１（４１ａ〜４１ｄ）が配置され、その表側に表面シート４４を貼り付けている。したがって、外フレーム４２とスクリーンスピーカ４１との間に若干の隙間もしくは段差が形成された場合でも、表面シート４４を貼り付けることにより、当該隙間もしくは段差を目立たなくすることが可能となる。その結果、プロジェクタからの映像をスクリーン部５６に投射した場合に、当該隙間もしくは段差に暗線等が現れるのを防止できる。
【００６０】
また、スピーカ装置４０は、４台のスクリーンスピーカ４１（４１ａ〜４１ｄ）を接合することにより、大型のスピーカ装置４０が形成されている。したがって、小型のスクリーンスピーカ４１を設置場所に輸送し、当該設置場所でスピーカ装置４０を容易に組み立てることができる。その結果、製作、輸送もしくは設置が困難な１５０インチ以上の大型のスピーカ装置４０を容易に提供することが可能となる。また、大型のスクリーンスピーカを輸送もしくは設置するのが困難な場所にも、大型のスピーカ装置４０を輸送もしくは設置することが可能となる。
【００６１】
また、スピーカ装置４０では、表面シート４４は、境界部５７が長手仕切部５１ａ上に形成されるように基本ユニット５５の表側に貼り付けられている。そのため、外フレーム４２とスクリーンスピーカ４１との間に形成される隙間もしくは段差と境界部５７が重なることはない。したがって、当該隙間もしくは段差が目立つのを防止でき、かつスクリーン部５６が振動および屈折するのを防止できる。その結果、スピーカ装置４０の耐久性および音響特性が向上する。
【００６２】
また、スピーカ装置４０では、シート付きユニット５８の外周部分にスクリーン枠４７が取り付けられている。したがって、表面シート４４の処理が困難なシート付きユニット５８の外周部を隠すことができると共に、当該外周部の剛性を向上させることが可能となる。したがって、スピーカ性能、耐久性および美観に優れたスピーカ装置４０を得ることができる。
【００６３】
また、スピーカ装置４０では、スクリーン横枠６０の第２長片６０ｂおよびスクリーン縦枠６２の第２長片６２ｂのそれぞれには、面取部６０ｄ，６２ｄがそれぞれ形成されると共に、第２長片６０ｂの厚さＪの寸法は、第２長片６２ｂにおける裏面６２ｆから面取部６２ｄに至るまでの厚さＫの寸法以下とされている。このため、スクリーン枠４７の左右方向においてスクリーン横枠６０の両端面が露出するのを防止できる。その結果、スピーカ装置４０の美観が向上する。なお、スクリーン枠４７の上下方向においてスクリーン縦枠６２の両端面が露出するが、大型のスピーカ装置４０においては、スクリーン枠４７の上下端は通常視認されることはないため、スピーカ装置４０の美観が損なわれることはない。また、スクリーン横枠６０とスクリーン縦枠６２の接合部６７（図９（Ａ）を参照）は、スクリーン縦枠６２の長手方向と平行に形成されている。したがって、接合部６７を長さと角度の精度を有する４５°切断によって、４５°傾くように形成する場合と比較して、スクリーン枠４７の加工が容易となる。その結果、安価な価格で美観に優れたスピーカ装置４０を提供することが可能となる。
【００６４】
（第３の実施の形態）
次に、本発明の第３の実施の形態に係るスピーカ装置７０について、図面を参照しながら説明する。なお、第３の実施の形態に係るスピーカ装置７０において、第１および第２の実施の形態と共通する部分については、同一の符号を付すと共にその説明を省略または簡略化する。
【００６５】
図１０は、スピーカ装置７０における表面シート４４の境界部５７の構成およびプロジェクタ７２からの映写角度を説明するための概略図である。図１１は、境界部５７の断面を拡大した図である。
【００６６】
スピーカ装置７０は、図７等に示す基本ユニット５５と、その前方に上下に並べて貼り付けられた２枚の表面シート４４，４４と、スクリーン枠４７と、から主に構成されおり、境界部５７の構成のみが第２の実施の形態に係るスピーカ装置４０と相違するため、当該部分についてのみ説明する。
【００６７】
図１０および図１１に示すように、スピーカ装置７０では、下側の表面シート４４における上端部４４ａが、上側の表面シート４４における下端部４４ｂの表側に重なるように、表面シート４４が貼られている。この重なった部分となる重なり部７４の幅Ｐの大きさは、長手仕切部５１ａの幅よりも小さく形成されている（図１１を参照）。スクリーン部５６の前方には、プロジェクタ７２が配置されている。このプロジェクタ７２は、スクリーン部５６の左右方向中央であり、かつスクリーン部５６の上方に配置されるのが好ましい。すなわち、プロジェクタ７２からの投影はスクリーン部５６よりやや高い位置から行われるのが好ましい（図１０を参照）。したがって、重なり部７４には、矢示Ｑ方向に向かってプロジェクタ７２からの影像が入射する。すなわち、重なり部７４においては、プロジェクタ７２からの影像は斜め下方に向かって入射する。
【００６８】
以上のように構成されたスピーカ装置７０では、重なり部７４においては、プロジェクタ７２からの影像は斜め下方に向かって入射する。したがって、重なり部７４において表側に重ねられた表面シート４４（上端部４４ａ）の厚さに起因して、境界部５７近傍に影等が発生するのを防止できる。また、表面シート４４の厚みの寸法を０．２ｍｍ以下とすれば、視聴者は、視聴距離から境界部５７を視認することができない。したがって、鮮明な影像をスクリーン部５６に映し出すことが可能となる。また、表面シート４４を、隙間ができないように、突き合わせて貼り付ける場合と比較して、表面シート４４の貼り付け作業が容易となる。
【００６９】
（第４の実施の形態）
次に、本発明の第４の実施の形態に係るスピーカ装置８０について、図面を参照しながら説明する。なお、第４の実施の形態に係るスピーカ装置８０において、第１から第３の実施の形態と共通する部分については、同一の符号を付すと共にその説明を省略または簡略化する。
【００７０】
図１２は、スピーカ装置８０を組み立てる工程を示す図であり、表面シート８２を貼り付ける工程を示す図である。図１３は、スリーンスピーカシステム８０における境界部８５ａ，８５ｂの構成およびプロジェクタ７２からの映写角度を説明するための概略図である。図１４は、境界部８５ｂの断面を拡大した図である。
【００７１】
スピーカ装置８０は、図７等に示す基本ユニット５５と、その前方に左右に３つ並べて貼り付けられた３枚の表面シート８２，８２，８２と、スクリーン枠４７と、から主に構成されており、表面シート８２および境界部８５ａ，８５ｂの構成のみが第２の実施の形態に係るスピーカ装置４０と相違するため、当該部分についてのみ説明する。
【００７２】
図１２に示すように、基本ユニット５５の前面には、３枚の表面シート８２，８２，８２が貼り付けられている（なお、図１２においては、１枚の表面シート８２のみを図示するものとする。）。表面シート８２のそれぞれは、基本ユニット５５の表側に左右方向に３つに並べて貼り付けられる。表面シート８２を貼り付けることにより、基本ユニット５５の表側にはスクリーン部８６が形成される。それぞれの表面シート８２の外形寸法は、その長さ寸法が、基本ユニット５５と略同一に設けられるものの、当該表面シート８２の幅寸法は、各表面シート８２を基本ユニット５５に貼り付けた場合、互いに若干重なり合ような状態に設けられている。上述したように、表面シート８２は、左右方向に３つ並べて貼り付けられる。このため、左側に貼られた表面シート８２と中央に貼られた表面シート８２の間および右側に貼られた表面シート８２と中央に貼られた表面シート８２の間には、それぞれ境界部８５ａ，８５ｂが形成される。すなわち、境界部８５ａおよび境界部８５ｂが、基本ユニット５５における左から２番目の仕切り２２上および基本ユニット５５における右から２番目の仕切り２２上に形成されるように、表面シート８２は貼り付けられる。
【００７３】
図１３に示すように、スピーカ装置８０では、表面シート８２は、左側に貼られた表面シート８２における右端部８２ａが、中央に貼られた表面シート８２における左端部８２ｂの表側に重なると共に、右側に貼られた表面シート８２における左端部８２ｂが、中央に貼られた表面シート８２における右端部８２ａの表側に重なるように貼られている。この境界部８５ｂにおいて重なった部分である重なり部８７の幅Ｒの大きさは、短手仕切部５１ｂの幅よりも小さく形成されている。スクリーン部８６の前方には、プロジェクタ７２が配置されている。このプロジェクタ７２は、スクリーン部８６の左右方向中央であり、かつスクリーン部８６の上方に配置されている。このため、境界部８５ａ，８５ｂは、プロジェクタ７２を中心にして、左右対称に位置する（図１３を参照）。したがって、図１４に示すように、境界部８５ｂにおける重なり部８７には、矢示Ｓ方向に向かってプロジェクタ７２からの影像が入射する。すなわち、境界部８５ｂにおける重なり部８７においては、プロジェクタ７２からの影像は平面視して右斜め方向に向かって入射する。境界部８５ａにおける重なり部８７には、プロジェクタ７２からの影像は、当該プロジェクタ７２を中心として、矢示Ｓ方向と左右対称となる矢示Ｔ方向（左斜め方向）に向かって入射する。
【００７４】
以上のように構成されたスピーカ装置８０では、境界部８５ｂにおける重なり部８７においては、プロジェクタ７２からの影像は、平面視して右斜め方向に向かって入射する。したがって、境界部８５ｂにおける重なり部８７において表側に重ねられた表面シート８２（左端部８２ｂ）の厚さに起因して、境界部８５ｂ近傍に影等が発生するのを防止できる。また、境界部８５ａにおける重なり部７４においても同様の効果を有する。また、表面シート８２の厚みの寸法を０．２ｍｍ以下とすれば、視聴者は、視聴距離から境界部８５ａ，８５ｂを視認できない。したがって、鮮明な映像をスクリーン部８６に映し出すことが可能となる。また、境界部８５ａ，８５ｂは、上下方向に沿って形成されているため、表面シート８２が重なることによって、重なり部８７に形成される段差に埃が溜まり、スクリーン部８６が汚れることがなくなる。また、表面シート８２を、隙間ができないように、突き合わせて貼り付ける場合と比較して、表面シート８２の貼り付け作業が容易となる。
【００７５】
以上、本発明の各実施の形態について説明したが、本発明は上述の形態に限定されることなく、種々変形した形態にて実施可能である。
【００７６】
上述の各実施の形態では、表面シート１７，４４，８２は、樹脂を材料とするシートが採用されているが、その材料は樹脂に限定されされることなく、スクリーン１２等の材料に合わせて、表面シート１７，４４，８２の材料を適宜選択することが可能である。例えば、紙等の不織繊維、布等の織物繊維、金属もしくはこれらの材料を２種以上組み合わせた複合材等、他の材料からなるシートとすることが可能である。紙等の不織繊維および布等の織物繊維を材料とした場合、樹脂を材料とした場合と同様の効果が得られる。また、金属を材料とした場合には、シートの表面に酸化または窒化等の表面処理を施すことにより、耐久性および耐候性に優れ、かつシートに光沢を持たせることが可能となる。したがって、屋外での使用に適したシートを得ることができる。また、上記材料を２種以上組み合わせた複合材からシートを形成した場合には、紙の有する優れた音響特性と金属の有する優れた耐候性を併せ持つ複合材等、各素材の長所を生かしたシートを得ることができる。
【００７７】
上述の第２、第３および第４の実施の形態では、４台のスクリーンスピーカ４１ａ〜４１ｄを接合することによりスピーカ装置４０，７０，８０が構成されているが、４台に限られることなく、スクリーンスピーカ４１の数を５つ以上としても良いし、３つ以下としても良い。また、異なる大きさのスクリーンスピーカ４１を複数組み合わせてスピーカ装置４０、７０，８０を構成するようにしても良い。
【００７８】
また、上述の各実施の形態では、分割領域２４ａ，２４ｃ，２４ｄは、フレーム１４の内部に３つ設けられているが、３つに限らず、２つあるいは、４つ以上としても良い。さらには分割しなくても良い。また、仕切り２２を側枠２０の短手方向および長手方向に複数配置させ、仕切り２２のみによって囲まれた部分を分割領域とするようにしても良い。
【００７９】
また、上述の第２、第３および第４の実施の形態では、分割領域５３ａ，５３ｂ，５３ｃ，５３ｄは、外フレーム４２の内部に４つ設けられているが、４つに限らず、３つ以下あるいは、５つ以上としても良い。
【００８０】
また、上述の第１の実施の形態では、表面シート１７を３枚並べて貼り付けているが、３枚に限定されるものではなく、２枚としても良いし、４枚以上としても良い。また、左右に並べて貼り付けるのに限定されず、上下に並べて貼り付けても良いし、上下左右に並べて貼り付けるようにしても良い。
【００８１】
また、上述の第２および第３の実施の形態では、表面シート４４は上下に並べて２枚貼り付けられているが、２枚に限定されるものではなく、３枚以上としても良い。また、上下に並べて貼り付けるのに限定されず、左右に並べて貼り付けるようにしても良いし、上下左右に並べて貼り付けるようにしても良い。また、第４の実施の形態では、表面シート８２は、左右に並べて３枚貼られているが、３枚に限定されるものではなく、例えば、図１５に示すように、左右に並べて６枚貼るようにしても良い（なお、図１５においては、１枚の表面シートのみを図示するものとする。）。
【００８２】
また、上述の第２、第３および第４の実施の形態では、面取部６０ｄ，６２ｄは、テーパ状に形成されているが、当該形状に限定されるものではなく、例えば、Ｒ形状等、他の形状としても良い。
【００８３】
また、上述の第２、第３および第４の実施の形態では、スクリーン枠４７は、スクリーン横枠６０の端面６０ｅをスクリーン縦枠６２の先端面６２ｅに当接させて組み立てる構成とされているが、スクリーン縦枠６２の端面をスクリーン横枠６０の先端面６０ｆに当接させて組み立てる構成としても良い。
【００８４】
また、上述の第２、第３および第４の実施の形態では、外フレーム４２で囲まれる領域は、仕切部材５１によって複数の分割領域５３ａ〜５３ｄに仕切られているが、仕切部材５１を設けないようにしても良い。この場合、例えば、複数のスクリーンスピーカ４１を予め接合して、当該接合されたスクリーンスピーカ４１を外フレーム４２内の領域に配置することが可能である。また、この場合、境界５７，８５ａ，８５ｂを外フレーム４２内に配置されたスクリーンスピーカ４１を構成するフレーム上に形成することが可能である。
【産業上の利用可能性】
【００８５】
本発明のスクリーンスピーカは、スクリーンの全面より音を放出するスピーカ等の音響変換装置において利用することができる。
【図面の簡単な説明】
【００８６】
【図１】本発明の第１の実施の形態に係るスピーカ装置の分解斜視図である。
【図２】本発明の第１の実施の形態に係るスピーカ装置の斜視図である。
【図３】図１中の表面シートを貼り付けた状態で、図２中のスピーカ装置を矢示Ａ方向から見た部分を示す側面図である。
【図４】本発明の第２の実施の形態に係るスリーンスピーカシステムの斜視図である。
【図５】本発明の第２の実施の形態に係るスリーンスピーカシステムの筐体となる外フレームの斜視図である。
【図６】本発明の第２の実施の形態に係るスピーカ装置を組み立てる工程を示す図であり、スピーカ装置を外フレームに配置する工程を示す図である。
【図７】本発明の第２の実施の形態に係るスピーカ装置を組み立てる工程を示す図であり、表面シートを貼り付ける工程を示す図である。
【図８】本発明の第２の実施の形態に係るスピーカ装置においてスクリーン枠を分解した状態を示す分解外斜視図である。
【図９】図８中のスクリーン枠の構成を説明するための図であり、（Ａ）は、図４中の一点鎖線で囲んだ部分Ｂの拡大図であり、（Ｂ）は、（Ａ）をＣ−Ｃ線で切断した断面を示す断線図であり、（Ｃ）は、（Ａ）をＤ−Ｄ線で切断した断面を示す断線図である。
【図１０】本発明の第３の実施の形態に係るスリーンスピーカシステムにおける境界部の構成およびプロジェクタからの映写角度を説明するための概略図である。
【図１１】図１０中の境界部の断面を拡大した図である。
【図１２】本発明の第４の実施の形態に係るスピーカ装置を組み立てる工程を示す図であり、表面シートを貼り付ける工程を示す図である。
【図１３】本発明の第４の実施の形態に係るスリーンスピーカシステムにおける境界部の構成およびプロジェクタからの映写角度を説明するための概略図である。
【図１４】図１３中の境界部の断面を拡大した図である。
【図１５】本発明の変形例を示す図であり、表面シートを左右に６分割して６枚貼り付ける場合を示す斜視図である。
【符号の説明】
【００８７】
１０，４０，７０，８０…スピーカ装置
１２…スクリーン
１４…フレーム
１７，４４，８２…表面シート（シート）
２２…仕切り
２４ａ，２４ｂ，２４ｃ，５３ａ，５３ｂ，５３ｃ，５３ｄ…分割領域（複数の領域）
３０ａ，３０ｂ，５７，８５ａ，８５ｂ…境界部（境界）
４１…スクリーンスピーカ
４２…外フレーム
４７…スクリーン枠
５１…仕切部材
５５…基本ユニット
５６，８６…スクリーン部
６０…スクリーン横枠（横枠部）
６２…スクリーン縦枠（縦枠部）
６０ｄ，６２ｄ…面取部（面取り）
６２ｆ…裏面
【図１】
2008203560.tif 000003
【図２】
2008203560.tif 000004
【図３】
2008203560.tif 000005
【図４】
2008203560.tif 000006
【図５】
2008203560.tif 000007
【図６】
2008203560.tif 000008
【図７】
2008203560.tif 000009
【図８】
2008203560.tif 000010
【図９】
2008203560.tif 000011
【図１０】
2008203560.tif 000012
【図１１】
2008203560.tif 000013
【図１２】
2008203560.tif 000014
【図１３】
2008203560.tif 000015
【図１４】
2008203560.tif 000016
【図１５】
2008203560.tif 000017